(57)【要約】【課題】動画像撮影中に撮影する静止画像に対し、撮影シーンに適した画像処理を行うこと。【解決手段】撮像装置は、被写体像を撮像する撮像部２１と、撮像部２１により撮像された動画像を記録部２９に記録する動画像記録制御部３１と、撮影シーンを判定するシーン判定部３１と、動画像を構成するフレーム画像に対して、動画像の撮像開始前のシーン判定結果に基づいた画像処理パラメータを用いて画像処理を行う第１の画像処理部２４と、静止画像の記録を指示する操作部材３３ａと、動画像の撮像中の操作部材３３ａからの操作信号に応じて、撮像部２１が撮像した画像を静止画像として記録する静止画像記録制御部３１と、静止画像に対して、シーン判定部３１による直近のシーン判定結果に基づいた画像処理パラメータを用いて画像処理を行う第２の画像処理部２４と、を備える。【選択図】図１
2013016907.tif 000002
【特許請求の範囲】
【請求項１】
被写体像を撮像する撮像部と、
前記撮像部により撮像された動画像を記録部に記録する動画像記録制御部と、
撮影シーンを判定するシーン判定部と、
前記動画像を構成するフレーム画像に対して、前記動画像の撮像開始前の前記シーン判定結果に基づいた画像処理パラメータを用いて画像処理を行う第１の画像処理部と、
静止画像の記録を指示する操作部材と、
前記動画像の撮像中の前記操作部材からの操作信号に応じて、前記撮像部が撮像した画像を静止画像として記録する静止画像記録制御部と、
前記静止画像に対して、前記シーン判定部による直近のシーン判定結果に基づいた画像処理パラメータを用いて画像処理を行う第２の画像処理部と、
を備えることを特徴とする撮像装置。
【請求項２】
請求項１に記載の撮像装置において、
前記静止画像に対して、前記動画像の撮像開始前の前記シーン判定結果に基づいた画像処理パラメータを用いて画像処理を行う第３の画像処理部と、
前記第２の画像処理部および前記第３の画像処理部のうちいずれか一方に前記静止画像に対する画像処理を行わせる第１の制御部と、
をさらに備えることを特徴とする撮像装置。
【請求項３】
請求項１または２に記載の撮像装置において、
前記動画像の撮像時は、前記動画像の撮像開始前の前記シーン判定結果に基づいた露出パラメータを用いて露出制御を行い、前記静止画像の撮像時は、直近の前記シーン判定結果に基づいた露出パラメータを用いて露出制御を行う第１の露出制御部、をさらに備えることを特徴とする撮像装置。
【請求項４】
請求項３に記載の撮像装置において、
前記動画像および前記静止画像の撮像時のそれぞれにおいて、前記動画像の撮像開始前の前記シーン判定結果に基づいた露出パラメータを用いて露出制御を行う第２の露出制御部と、
前記第１の露出制御部および前記第２の露出制御部のうちいずれか一方に露出制御を行わせる第２の制御部と、
をさらに備えることを特徴とする撮像装置。
【請求項５】
請求項１〜４のいずれか一項に記載の撮像装置において、
前記シーン判定部によるシーン判定結果を前記動画像と関連付けて記録部に記録する記録制御部、をさらに備えることを特徴とする撮像装置。
【請求項６】
被写体像を撮像する撮像部と、
前記撮像部により撮像された画像を、逐次出力する出力部と、
撮影シーンを判定するシーン判定部と、
前記出力部から逐次出力される前記画像に対して、所定のタイミングにおける前記シーン判定結果に基づいた画像処理パラメータを用いて画像処理を行う第１の画像処理部と、
画像の記録を指示する操作部材と、
前記出力部による画像の逐次出力中に、前記操作部材からの操作信号に応じて、前記撮像部が撮像した画像を静止画像または動画像として記録する記録制御部と、
前記静止画像または前記動画像に対して、前記シーン判定部による直近のシーン判定結果に基づいた画像処理パラメータを用いて画像処理を行う第２の画像処理部と、
を備えることを特徴とする撮像装置。
【発明の詳細な説明】
【技術分野】
【０００１】
本発明は、撮像装置に関する。
【背景技術】
【０００２】
静止画像を撮影する際に、撮影シーンを判定し、撮影した静止画像に対してシーン判定結果に応じた最適な画像処理を行うデジタルカメラが知られている（特許文献１参照）。
【先行技術文献】
【特許文献】
【０００３】
【特許文献１】特開２００３−１８４５３号公報
【発明の概要】
【発明が解決しようとする課題】
【０００４】
従来技術では、静止画像と動画像とを撮影可能なデジタルカメラにおいて、動画像や、動画像の撮影中に撮影する静止画像に対して撮影シーンの判定をどうするかは考えられていなかった。
【課題を解決するための手段】
【０００５】
（１）請求項１に記載の発明による撮像装置は、被写体像を撮像する撮像部と、撮像部により撮像された動画像を記録部に記録する動画像記録制御部と、撮影シーンを判定するシーン判定部と、動画像を構成するフレーム画像に対して、動画像の撮像開始前のシーン判定結果に基づいた画像処理パラメータを用いて画像処理を行う第１の画像処理部と、静止画像の記録を指示する操作部材と、動画像の撮像中の操作部材からの操作信号に応じて、撮像部が撮像した画像を静止画像として記録する静止画像記録制御部と、静止画像に対して、シーン判定部による直近のシーン判定結果に基づいた画像処理パラメータを用いて画像処理を行う第２の画像処理部と、を備えることを特徴とする。
【０００６】
（２）請求項６に記載の発明による撮像装置は、被写体像を撮像する撮像部と、撮像部により撮像された画像を、逐次出力する出力部と、撮影シーンを判定するシーン判定部と、出力部から逐次出力される画像に対して、所定のタイミングにおけるシーン判定結果に基づいた画像処理パラメータを用いて画像処理を行う第１の画像処理部と、画像の記録を指示する操作部材と、出力部による画像の逐次出力中に、操作部材からの操作信号に応じて、撮像部が撮像した画像を静止画像または動画像として記録する記録制御部と、静止画像または動画像に対して、シーン判定部による直近のシーン判定結果に基づいた画像処理パラメータを用いて画像処理を行う第２の画像処理部と、を備えることを特徴とする。
【発明の効果】
【０００７】
本発明によれば、動画像を構成する各フレーム間で画質が急に変化して観察者に違和感を与えるのを防止することができると共に、動画像撮影中に撮影する静止画像には、撮影シーンに適した画像処理を行うことができる。
【図面の簡単な説明】
【０００８】
【図１】本発明の実施の形態によるデジタルカメラの構成を例示する図である。
【図２】撮影処理の流れを説明するフローチャートである。
【図３】撮影処理の流れを説明するフローチャートである。
【発明を実施するための形態】
【０００９】
以下、図面を参照して本発明を実施するための形態について説明する。図１は、本発明の一実施の形態によるデジタルカメラ１の構成を例示する図である。図１に例示されるデジタルカメラ１は、撮影レンズ１１と、絞り１２と、撮像素子２１と、Ａ／Ｄ変換回路２２と、露出制御部２３と、表示装置２８と、画像処理ブロック３０と、ＣＰＵ３１と、操作部材３３とを備え、記録媒体２９が着脱可能に構成される。
【００１０】
画像処理ブロック３０は、画像処理回路２４と、画像メモリ２５と、圧縮伸張回路２６と、表示回路２７とを含む。
【００１１】
操作部材３３は、デジタルカメラ１を操作するためのスイッチやボタンで構成される。操作部材３３は、不図示の電源スイッチ、シャッターボタン３３ａ、録画ボタン３３ｂを含む。
【００１２】
ユーザが電源スイッチをオン操作すると、デジタルカメラ１の電源がオンし、スルー画像の撮影および表示装置２８への該スルー画像の表示が開始される。スルー画像は、撮影指示前に取得するモニタ用の画像である。
【００１３】
録画ボタン３３ｂは、動画像の撮影開始と撮影終了とを指示する操作部材である。たとえばユーザが録画ボタン３３ｂを操作すると動画像の撮影開始が指示され、録画ボタン３３ｂを再度操作すると動画像の撮影終了が指示される。
【００１４】
シャッターボタン３３ａは、静止画像の撮影を指示する操作部材である。たとえばユーザが動画像の撮影中にシャッターボタン３３ａを操作すると、動画像撮影中の静止画像撮影が指示される。ここで、動画像撮影中の静止画像撮影とは、動画像撮影中の１フレームを静止画像として記録することをいう。動画像の撮影が行われていないときにシャッターボタン３３ａを操作した場合は、静止画像の撮影が指示される。
【００１５】
撮影レンズ１１を透過した透過光、すなわち被写体光は、絞り１２を介して撮像素子２１に入射する。撮像素子２１は、ＣＭＯＳイメージセンサであって、被写体光をアナログ画像信号に光電変換し、Ａ／Ｄ変換回路２２へ出力する。撮像素子２１から出力されたアナログ画像信号は、Ａ／Ｄ変換回路２２によりデジタル画像信号に変換され、画像処理回路２４へ出力される。露出制御部２３は、ＣＰＵ３１により指示された絞り値Ａｖおよびシャッター速度Ｔｖに基づいて、絞り１２の駆動および撮像素子２１の蓄積時間を制御する。
【００１６】
画像処理回路２４は、Ａ／Ｄ変換回路２２から入力されたデジタル画像信号に対して所定の画像処理（ホワイトバランス、輪郭強調、階調補正、ノイズリダクション、色補正など）を行う。
【００１７】
圧縮伸張回路２６は、画像処理回路２４とともに動作する回路であって、静止画像についてはＪＰＥＧなどの圧縮ファイル形式に圧縮し、動画像についてはＭＰＥＧやＭｏｔｉｏｎＪＰＥＧなどの圧縮ファイル形式に圧縮する。また圧縮伸張回路２６は、圧縮された静止画像データまたは動画像データの伸張を行う。
【００１８】
画像メモリ２５は、画像データの高速な書き込みおよび読み出しを行うメモリであって、たとえば、揮発性の記憶装置であるＳＲＡＭや、ＶＲＡＭなどで構成される。画像メモリ２５は、画像処理回路２４および圧縮伸張回路２６の作業領域として用いられる。画像メモリ２５には、Ａ／Ｄ変換回路２２から画像処理回路２４へ送信されたデジタル画像信号、画像処理後の画像データ、および圧縮後の圧縮画像データなどが一時的に格納される。
【００１９】
画像メモリ２５は、静止画像用バッファおよび動画像用バッファとしても用いられる。静止画像用バッファは、画像処理回路２４が静止画像撮影用の作業領域とする記憶領域である。動画像用バッファは、画像処理回路２４が動画像撮影用の作業領域とする記憶領域である。
【００２０】
表示回路２７は、動画像や静止画像の再生表示、スルー画像表示、各種設定メニューを表示装置２８へ表示させるための処理を行う。
【００２１】
表示装置２８は、液晶タイプの表示装置であり、各種画像やメニュー画面を表示する。記録媒体２９は、撮影された静止画像のデータまたは動画像のデータを記憶する。記録媒体２９は、たとえばメモリーカードによって構成される。記録媒体２９に記録されたデータは、外部のコンピュータに接続または搭載された読み取り装置により読み取ることができ、画像の再生が可能である。
【００２２】
ＣＰＵ３１は、デジタルカメラ１に備えられた各要素を制御して、静止画像や動画像の撮影処理を行う。
【００２３】
シャッターボタン３３ａを介して静止画像の撮影が指示されると、ＣＰＵ３１は画像処理回路２４へ指示を送り、撮像素子２１からＡ／Ｄ変換回路２２を介して出力されたデジタル画像信号を画像メモリ２５の静止画像用バッファに格納させる。
【００２４】
画像処理回路２４は、静止画像用バッファに格納されたデジタル画像信号に対して所定の画像処理を行う。そして、画像処理回路２４は、圧縮伸張回路２６とともに画像処理後の画像データをＪＰＥＧ形式などの圧縮画像データに圧縮する。そして、その圧縮画像データを静止画像ファイルとして記録媒体２９に記憶させる。
【００２５】
録画ボタン３３ｂを介して動画像の撮影開始が指示されると、ＣＰＵ３１は画像処理回路２４へ指示を送り、撮像素子２１からＡ／Ｄ変換回路２２を介して出力されたデジタル画像信号を、画像メモリ２５の動画像用バッファに格納させる。
【００２６】
画像処理回路２４は、動画像用バッファに格納された各フレームのデジタル画像信号に対して所定の画像処理を行う。そして、画像処理回路２４は、圧縮伸張回路２６とともに画像処理後の画像データをＭＰＥＧ形式やＭｏｔｉｏｎＪＰＥＧなどの圧縮画像データに圧縮する。そして、その圧縮画像データを記録媒体２９に記憶させる。
【００２７】
録画ボタン３３ｂを介して動画像の撮影終了が指示されると、ＣＰＵ３１は画像処理回路２４へ指示を送り、動画像の撮影終了時点までの圧縮画像データを記録媒体２９に記憶させ、記録媒体２９に動画ファイルを完成させる。
【００２８】
なお、動画像の撮影時、デジタルカメラ１は、１秒間に所定のフレーム数（たとえば、２４〜６０フレーム）の画像を撮影する。動画像の撮影中、Ａ／Ｄ変換回路２２は、そのフレーム数のデジタル画像信号を画像処理回路２４へ出力する。
【００２９】
動画像の撮影中にシャッターボタン３３ａが操作されると、ＣＰＵ３１は動画像撮影中の静止画像撮影を指示する。画像処理回路２４は、静止画像撮影の指示があった直後の１フレーム分の動画像のデジタル画像信号を、画像メモリ２５の動画像用バッファだけでなく静止画像用バッファにも記憶する。
【００３０】
画像処理回路２４は、動画像用バッファに記憶した上記デジタル画像信号に対しては、各フレームのデジタル画像信号と同様に、所定の画像処理を行った後、圧縮伸張回路２６とともにＭＰＥＧ形式やＭｏｔｉｏｎＪＰＥＧなどの圧縮画像データに圧縮する。そして、その圧縮画像データを記録媒体２９に記憶させる。
【００３１】
一方、画像処理回路２４は、静止画像用バッファに記憶したデジタル画像信号に対しては、所定の画像処理を行った後、圧縮伸張回路２６とともにＪＰＥＧ形式などの圧縮画像データに圧縮する。そして、その圧縮画像データを静止画像ファイルとして記録媒体２９に記憶させる。
【００３２】
本実施形態のＣＰＵ３１は、スルー画像の表示中や動画像の撮影中などに、撮影シーンを判定するシーン判定処理を行う。判定される撮影シーンとしては、たとえば、主要被写体として人物を撮影するシーンである「ポートレート」、夜景を撮影するシーンである「夜景」、風景を撮影するシーンである「風景」、スポーツ中の人物を撮影するシーンである「スポーツ」、夕方の風景を撮影するシーンである「夕景」などがある。
【００３３】
撮影シーンの判定方法は、公知の方法を用いるものとする。たとえば、撮像素子２１からの画像信号に基づく情報（輝度や色バランス（Ｒ／Ｇ比、Ｂ／Ｇ比）など）や、カメラ設定情報（撮影レンズ１１の焦点距離や撮影倍率など）に基づいて撮影シーンを判定する。
【００３４】
また本実施形態では、撮影シーンに適した画像が得られるように、撮影シーンごとに露出演算モード、および画像処理パラメータが予め定められている。露出演算モードは、露出パラメータ（絞り値Ａｖ、シャッター速度Ｔｖ）を決定するための演算モードである。たとえば、「風景」シーンの場合、人物と背景の両方にピントが合うように絞り値Ａｖを固定値とする絞り優先演算モードで露出パラメータを決定する。また、「スポーツ」シーンの場合、被写体の一瞬の動きを捉えるようにシャッター速度Ｔｖを固定値とするシャッター速度優先演算モードで露出パラメータを決定する。
【００３５】
画像処理パラメータは、画像処理に用いられるパラメータであり、たとえば、ホワイトバランスゲイン、輪郭強調の強さ、階調補正の度合い、ノイズリダクション用パラメータ、色補正用パラメータなどがある。たとえば、「夕景」の画像処理パラメータは、夕方の赤みを残した画像を取得できるように定められている。
【００３６】
なお、上述した撮影シーンごとの露出演算モードおよび画像処理パラメータは、たとえば不図示のメモリに予め格納記憶されている。ＣＰＵ３１は、撮影画像にシーン判定結果を反映させる場合、判定した撮影シーンに対応する露出演算モードおよび画像処理パラメータを該メモリから読み出す。ＣＰＵ３１は、読み出した露出演算モードを、露出パラメータ演算に用いる露出演算モードとして決定し、読み出した画像処理パラメータを、画像処理に用いる画像処理パラメータとして決定する。
【００３７】
ＣＰＵ３１は、決定した露出演算モードにより、画像の明るさ（信号値）に基づいて露出パラメータを決定して露出制御部２３へセットする。露出制御部２３は、ＣＰＵ３１からの露出パラメータに基づいて絞り１２の駆動および撮像素子２１の蓄積時間を制御する。
【００３８】
またＣＰＵ３１は、決定した画像処理パラメータを画像処理回路２４にセットする。画像処理回路２４は、ＣＰＵ３１からの画像処理パラメータを用いて、画像信号に対する画像処理を行う。
【００３９】
＜撮影処理＞
図２および図３は、ＣＰＵ３１が実行する撮影処理の流れを説明するフローチャートである。ＣＰＵ３１は、操作部材３３の不図示の電源スイッチがオン操作されると、電源をオンして、図２および図３に例示する処理を実行するプログラムを起動する。
【００４０】
図２のステップＳ１において、ＣＰＵ３１は、スルー画像の取得を開始させて、ステップＳ２へ進む。具体的には、ＣＰＵ３１は、撮像素子２１に所定のフレームレートで光電変換を開始させ、撮像素子２１からの画像信号に基づくスルー画像を表示装置２８に逐次再生表示させる。
【００４１】
ステップＳ２において、ＣＰＵ３１は、数フレームごとに、スルー画像やカメラ設定情報に基づいて上記シーン判定処理を行い、ステップＳ３へ進む。
【００４２】
ステップＳ３において、ＣＰＵ３１は、ステップＳ２の判定結果に基づいて露出演算モードを決定する。ＣＰＵ３１はさらに、決定した露出演算モードにより、スルー画像の明るさに基づいて露出パラメータを決定し、ステップＳ４へ進む。
【００４３】
ステップＳ４において、ＣＰＵ３１は、ステップＳ２の判定結果に基づいて画像処理パラメータを決定し、ステップＳ５へ進む。
【００４４】
ステップＳ５において、ＣＰＵ３１は、録画ボタン３３ｂを介して動画像の撮影開始が指示されたか否かを判定する。ＣＰＵ３１は、録画ボタン３３ｂからの操作信号を受けると、ステップＳ５を肯定判定してステップＳ６へ進む。ＣＰＵ３１は、録画ボタン３３ｂからの操作信号を受けない場合には、ステップＳ５を否定判定してステップＳ２へ戻る。
【００４５】
ステップＳ２およびステップＳ５間の処理を繰り返すＣＰＵ３１は、露出制御部２３にセットする露出パラメータを、現在の露出パラメータからステップＳ３で決定した露出パラメータに徐々に変化させる。これにより、スルー画像取得時の露出がフレーム間で急に変化して観察者が違和感を感じることを防止できる。
【００４６】
またＣＰＵ３１は、画像処理回路２４にセットする画像処理パラメータを、現在の画像処理パラメータからステップＳ４で決定した画像処理パラメータに徐々に変化させる。これにより、スルー画像の画質がフレーム間で急に変化して観察者が違和感を感じることを防止できる。
【００４７】
ステップＳ５を肯定判定して進むステップＳ６において、ＣＰＵ３１は、ステップＳ３で決定した露出演算モードを、動画像の撮影中に用いる露出演算モードとしてセットして、ステップＳ７へ進む。すなわち、ＣＰＵ３１は、動画像の撮影開始にあたり、撮影開始指示の直前に判定した撮影シーンに基づく露出演算モードをセットする。
【００４８】
ステップＳ７において、ステップＳ４で決定した画像処理パラメータを画像処理回路２４にセットして、ステップＳ８へ進む。すなわち、ＣＰＵ３１は、動画像の撮影開始にあたり、撮影開始指示の直前に判定した撮影シーンに基づく画像処理パラメータを画像処理回路２４にセットする。
【００４９】
ステップＳ８において、ＣＰＵ３１は、動画像の取得を開始させて、ステップＳ９へ進む。具体的には、ＣＰＵ３１は、ステップＳ６でセットした露出演算モードにより、直前のスルー画像の明るさに基づいて露出パラメータを決定する。ＣＰＵ３１は、露出制御部２３にこの露出パラメータに基づいて絞り１２の駆動および撮像素子２１の蓄積時間を制御させながら撮像素子２１に所定のフレームレートで光電変換を行わせ、１枚目のフレーム画像を取得させる。なお、ＣＰＵ３１は、２フレーム目以降については、各フレームごとに、ステップＳ６でセットした露出演算モードにより、前フレーム画像の明るさに基づいて露出パラメータを決定し、露出制御部２３にこの露出パラメータに基づいて露出を制御させる。
【００５０】
ステップＳ９において、ＣＰＵ３１は、動画像の撮影中に数フレームごとに、現在のフレーム画像やカメラ設定情報に基づいて上記シーン判定処理を行い、ステップＳ１０へ進む。
【００５１】
ステップＳ１０において、ＣＰＵ３１は画像処理回路２４へ指示を送り、現在のフレーム画像に対し、ステップＳ７でセットした画像処理パラメータを用いた画像処理を行わせる。ＣＰＵ３１は、画像処理回路２４および圧縮伸張回路２６へ指示を送り、該画像処理後の画像データを圧縮画像データに圧縮させて記録媒体２９に記憶させ、ステップＳ１１へ進む。
【００５２】
このように本実施形態では、動画像の撮影中、動画像の取得開始後のシーン判定結果に基づく露出演算モードおよび画像処理パラメータを動画像に適用せず、動画像の取得開始前に決定した露出演算モードおよび画像処理パラメータ（ステップＳ６、Ｓ７）に固定して動画像に適用する。但し、露出パラメータについては、固定した露出演算モードにおいて最適な露出が得られるように、フレーム画像の明るさに応じて変化させる。
【００５３】
ステップＳ１１において、ステップＳ９の判定が行われるごとに、ステップＳ９のシーン判定結果を、記録媒体２９に記憶された現在のフレームのタグ情報として記録し、ステップＳ１２へ進む。
【００５４】
図３のステップＳ１２において、ＣＰＵ３１は、動画像の撮影中にシャッターボタン３３ａが操作され静止画像を撮影する場合に、該静止画像に対してシーン判定結果を反映させるか否かを判定する。本実施形態のデジタルカメラ１は、該静止画像に対してシーン判定結果を反映させるか否かを、予めユーザが操作部材３３を介して選択して設定できるよう構成されている。シーン判定結果を反映させる設定が行われている場合のＣＰＵ３１は、ステップＳ１２を肯定判定してステップＳ１３へ進む。シーン判定結果を反映させない設定が行われている場合のＣＰＵ３１は、ステップＳ１２を否定判定してステップＳ１９へ進む。
【００５５】
ステップＳ１３において、ＣＰＵ３１は、ステップＳ９の判定が行われるごとに、ステップＳ９の判定結果に基づいて露出演算モードを決定する。ＣＰＵ３１はさらに、決定した露出演算モードにより、現フレーム画像の明るさに基づいて露出パラメータを決定し、ステップＳ１４へ進む。
【００５６】
ステップＳ１４において、ＣＰＵ３１は、ステップＳ９の判定が行われるごとに、ステップＳ９の判定結果に基づいて画像処理パラメータを決定し、ステップＳ１５へ進む。
【００５７】
ステップＳ１５において、ＣＰＵ３１は、シャッターボタン３３ａを介して静止画像の撮影が指示されたか否かを判定する。ＣＰＵ３１は、シャッターボタン３３ａからの操作信号を受けると、ステップＳ１５を肯定判定してステップＳ１６へ進む。ＣＰＵ３１は、シャッターボタン３３ａからの操作信号を受けない場合には、ステップＳ１５を否定判定してステップＳ２３へ進む。
【００５８】
ステップＳ１６において、ＣＰＵ３１は、露出制御部２３に、ステップＳ１３で決定した露出パラメータをセットする。この結果、この露出パラメータに基づいて制御した露出により、静止画像撮影の指示があった直後の１フレーム分の動画像が撮影される。ＣＰＵ３１は、画像処理回路２４に指示を送り、該１フレーム分のデジタル画像信号を、画像メモリ２５の動画像用バッファだけでなく静止画像用バッファにも記憶させる。ＣＰＵ３１は、このようにして動画像撮影中の静止画像撮影処理を行うと、ステップＳ１７へ進む。
【００５９】
ステップＳ１７において、ＣＰＵ３１は、画像処理回路２４にステップＳ１４で決定した画像処理パラメータをセットし、該画像処理パラメータを用いて静止画像用バッファに記憶された上記１フレーム分のデジタル画像信号に画像処理を行わせ、ステップＳ１８へ進む。
【００６０】
なお、ＣＰＵ３１は、動画像用バッファに記憶された上記１フレーム分のデジタル画像信号に対しては、動画像を構成する他のフレームと同様に、ステップＳ７でセットした画像処理パラメータを用いた画像処理を画像処理回路２４に行わせる（ステップＳ１１）。
【００６１】
ステップＳ１８において、ＣＰＵ３１は、画像処理回路２４および圧縮伸張回路２６に指示を送り、ステップＳ１７で画像処理された静止画像用のデータを圧縮画像データに圧縮させて静止画ファイルとして記録媒体２９に記憶させる。なお、ＣＰＵ３１は、ステップＳ９において判定したシーン判定結果を、該静止画像ファイルのタグ情報として記録する。ＣＰＵ３１は、このような静止画像の記録処理を行うと、ステップＳ２３へ進む。
【００６２】
なお、ＣＰＵ３１は、露出制御部２３に、静止画像撮影の指示があった直後の１フレーム分の動画像についてはステップＳ１３で決定した露出パラメータで露出を制御させるが（ステップＳ１６）、その後の動画像については、ステップＳ６でセットした露出演算モードにより決定した露出パラメータによる露出制御に戻す。
【００６３】
上述したステップＳ１２を否定判定して進むステップＳ１９において、ＣＰＵ３１は、シャッターボタン３３ａを介して静止画像の撮影が指示されたか否かを判定する。ＣＰＵ３１は、シャッターボタン３３ａからの操作信号を受けると、ステップＳ１９を肯定判定してステップＳ２０へ進む。ＣＰＵ３１は、シャッターボタン３３ａからの操作信号を受けない場合には、ステップＳ１９を否定判定してステップＳ２３へ進む。
【００６４】
ステップＳ２０において、ＣＰＵ３１は、ステップＳ６でセットした露出演算モード（動画像の取得開始前にセットした露出演算モード）のままで直前のフレーム画像の明るさに基づいて露出パラメータを決定し、この露出パラメータで露出制御部２３に露出を制御させる。ＣＰＵ３１は、画像処理回路２４へ指示を送り、該１フレーム分の動画像のデジタル画像信号を、画像メモリ２５の動画像用バッファだけでなく静止画像用バッファにも記憶させる。ＣＰＵ３１は、このようにして動画像撮影中の静止画像撮影処理を行うと、ステップＳ２１へ進む。
【００６５】
ステップＳ２１において、ＣＰＵ３１は、画像処理回路２４に、ステップＳ７でセットした画像処理パラメータ（動画像の取得開始前にセットした画像処理パラメータ）のままで、静止画像用バッファに記憶された上記１フレーム分のデジタル画像信号に画像処理を行わせ、ステップＳ２２へ進む。すなわち、ＣＰＵ３１は、動画像撮影中に撮影した静止画像に対し、動画像と同様の画像処理パラメータを用いた画像処理を行う。
【００６６】
なお、ＣＰＵ３１は、動画像用バッファに記憶された上記１フレーム分のデジタル画像信号に対しては、動画像を構成する他のフレームと同様に、ステップＳ７でセットした画像処理パラメータを用いた画像処理を画像処理回路２４に行わせる（ステップＳ１１）。
【００６７】
ステップＳ２２において、ＣＰＵ３１は、画像処理回路２４および圧縮伸張回路２６に指示を送り、ステップＳ２１で画像処理された静止画像用のデータを圧縮画像データに圧縮させて静止画像ファイルとして記録媒体２９に記憶させる。なお、ＣＰＵ３１は、ステップＳ２０およびＳ２１で用いた露出パラメータおよび画像処理パラメータに対応するシーン判定結果を、該静止画像ファイルのタグ情報として記録する。ＣＰＵ３１は、このような静止画像の記録処理を行うと、ステップＳ２３へ進む。
【００６８】
ステップＳ２３において、ＣＰＵ３１は、録画ボタン３３ｂを介して動画像の撮影終了が指示されたか否かを判定する。ＣＰＵ３１は、録画ボタン３３ｂからの操作信号を受けると、ステップＳ２３を肯定判定してステップＳ２４へ進む。ＣＰＵ３１は、録画ボタン３３ｂからの操作信号を受けない場合には、ステップＳ２３を否定判定してステップＳ９へ戻る。
【００６９】
ステップＳ２３を肯定判定して進むステップＳ２４において、ＣＰＵ３１は、動画像の記録を終了して記録媒体２９に動画ファイルを完成させ、図３の処理を終了する。
【００７０】
なお、ＣＰＵ３１は、上記シーン判定処理を、数フレームごとに実行するようにしたが、各フレームごとに実行するようにしてもよい。
【００７１】
上述したように、本実施形態のデジタルカメラ１は、記録する動画像に対しては、ステップＳ７でセットした画像処理パラメータを用いて画像処理を行う。一方、動画像記録中も撮像素子２１からの出力に基づいてシーン判定処理を行い、動画像の記録中に静止画像を記録する際には、（該静止画像に対してシーン判定結果を反映させる設定の場合）ステップＳ１４で求めた画像処理パラメータを用いて、該静止画像に対して画像処理を行う。
【００７２】
＜検索処理＞
また本実施形態のデジタルカメラ１は、上述した撮影処理によって記録したファイルから撮影シーンを検索する検索モードを有している。ＣＰＵ３１は、検索モードに設定されると、たとえば、検索対象とする撮影シーンをユーザが選択するための選択画面を表示装置２８に表示させる。
【００７３】
ＣＰＵ３１は、操作部材１８の操作によって検索対象の撮影シーンが選択されると、上記タグ情報として記録されたシーン判定結果に基づいて、動画像を構成する各フレームの中から、検索対象の撮影シーンに合致するフレームを検索する。そしてＣＰＵ３１は、検索したフレームの画像を表示装置２８に表示させる。たとえば、検索したフレームの画像を縮小してサムネイル画像を生成し、生成したサムネイル画像を動画像の時系列順に並べて表示装置２８に表示させる。
【００７４】
以上説明した実施の形態によれば、次の作用効果が得られる。
（１）デジタルカメラ１は、被写体像を撮像する撮像素子２１と、撮像素子２１により撮像された動画像を記録媒体２９に記録するＣＰＵ３１と、撮影シーンを判定するＣＰＵ３１と、動画像を構成するフレーム画像に対して、動画像の撮像開始前のシーン判定結果に基づいた画像処理パラメータを用いて画像処理を行う画像処理回路２４と、静止画像の記録を指示するシャッターボタン３３ａと、動画像の撮像中のシャッターボタン３３ａからの操作信号に応じて、撮像素子２１が撮像した画像を静止画像として記録するＣＰＵ３１と、静止画像に対して、ＣＰＵ３１による直近のシーン判定結果に基づいた画像処理パラメータを用いて画像処理を行う画像処理回路２４と、を備えるようにしたので、動画像を構成する各フレーム画像に対して行う画像処理を共通にでき、フレーム間で画質が急に変化して観察者に違和感を与えるのを防止することができる。さらに、動画像撮影中に撮影する静止画像に対して撮影シーンに適した画像処理を行うことができる。
【００７５】
（２）上記（１）に記載のデジタルカメラ１において、静止画像に対して、動画像の撮像開始前のシーン判定結果に基づいた画像処理パラメータを用いて画像処理を行う画像処理回路２４と、該画像処理回路２４および上記（１）の画像処理回路２４のうちいずれか一方に静止画像に対する画像処理を行わせるＣＰＵ３１と、を備えるようにしたので、動画像撮影中に撮影する静止画像に対し、動画像と共通の画像処理を行うか、撮影シーンに適した画像処理を行うかを選ぶことができる。
【００７６】
（３）上記（１）または（２）に記載のデジタルカメラ１において、動画像の撮像時は、動画像の撮像開始前のシーン判定結果に基づいた露出パラメータを用いて露出制御を行い、静止画像の撮像時は、直近のシーン判定結果に基づいた露出パラメータを用いて露出制御を行う露出制御部２３、を備えるようにしたので、動画像撮影中に撮影する静止画像を撮影シーンに適した露出で撮影することができる。
【００７７】
（４）上記（３）に記載のデジタルカメラ１において、動画像および静止画像の撮像時のそれぞれにおいて、動画像の撮像開始前のシーン判定結果に基づいた露出パラメータを用いて露出制御を行う露出制御部２３と、該露出制御部２３および上記（３）の露出制御部２３のうちいずれか一方に露出制御を行わせるＣＰＵ３１と、を備えるようにしたので、動画像撮影中に撮影する静止画像において、動画像と共通の露出制御を行うか、撮影シーンに適した露出制御を行うかを選ぶことができる。
【００７８】
（５）上記（１）〜（４）に記載のデジタルカメラ１において、シーン判定結果を動画像と関連付けて記録媒体２９に記録するＣＰＵ３１、を備えるようにしたので、たとえば、記録した動画像から撮影シーンを検索することができる。
【００７９】
（変形例１）
上述した実施の形態では、静止画像に対してシーン判定結果を反映させる設定である場合、動画像の撮影中に静止画像の撮影が指示されると、直近のシーン判定結果に基づく露出演算モードにより決定した露出パラメータで露出を制御するようにしたが、動画像の取得開始前に決定した露出演算モードにより決定した露出パラメータで露出を制御するようにしてもよい。変形例１のＣＰＵ３１は、該静止画像に対する画像処理については、直近のシーン判定結果に基づく画像処理パラメータを用いるようにする。
【００８０】
（変形例２）
上述した実施の形態では、ＣＰＵ３１は、動画像の撮影中におけるシーン判定結果を、フレームのタグ情報として記録するようにしたが、たとえば不図示のメモリに一時記録するようにしてもよい。
【００８１】
（変形例３）
上述した実施の形態では、動画像の撮影中にシャッターボタン３３ａが操作されると、動画像の１フレームを静止画像としても記録するようにしたが、たとえば、動画像の撮影を一時停止して静止画像撮影を行い、静止画像撮影の終了後に動画像撮影を再開するようにしてもよい。
【００８２】
（変形例４）
上述した実施の形態では、スルー画像の取得中にシーン判定処理を行うようにしたが、必ずしもスルー画像の取得中に行わなくてもよい。変形例４のＣＰＵ３１は、たとえば、録画ボタン３３ｂを介して動画像の撮影が指示されると、直近に取得したスルー画像に基づいてシーン判定処理を行い、判定結果に基づいて動画像に適用する露出パラメータおよび画像処理パラメータを決定する。
【００８３】
（変形例５）
上述した実施の形態では、記録する動画像に対して、動画像の記録指示前のシーン判定結果に基づいた画像処理パラメータに固定して画像処理を行うようにしたが、記録せずに表示のみを行う動画像（スルー画像）に対して、同様の処理を行うようにしてもよい。
【００８４】
たとえば、変形例５のＣＰＵ３１は、スルー画像を表示しながらシーン判定処理を行い、スルー画像に対し、直近のシーン判定結果に基づいた画像処理パラメータを用いて画像処理を行う。このようなスルー画像の表示中、操作部材３３を介して所定の指示（たとえばシャッターボタン３３ａの半押し操作）が行われると、変形例５のＣＰＵ３１は、該指示後のスルー画像に対しては、該指示直前のシーン判定結果に基づいた画像処理パラメータに固定して画像処理を行う。さらに変形例５のＣＰＵ３１は、該指示後のスルー画像の表示中も撮像素子１２からの出力に基づいてシーン判定処理を継続して行い、操作部材３３を介して静止画像または動画像の記録指示があると、該静止画像または動画像に対して直近のシーン判定結果に基づく画像処理パラメータを用いて画像処理を行う。
【００８５】
また、スルー画像に対して、たとえばスルー画像の表示開始時のシーン判定結果に基づいた画像処理パラメータに固定して画像処理を行うようにしてもよい。この場合のＣＰＵ３１は、操作部材３３を介して電源のオン操作が行われると、スルー画像を表示させると共にシーン判定処理を行う。ＣＰＵ３１は、スルー画像に対して、スルー画像の表示開始時のシーン判定結果に基づいた画像処理パラメータに固定して画像処理を行う。ＣＰＵ３１は、スルー画像の表示中も撮像素子１２からの出力に基づいてシーン判定処理を継続して行い、操作部材３３を介して所定の指示（たとえばシャッターボタン３３ａの半押し操作）が行われると、該指示後のスルー画像に対しては、該指示直前のシーン判定結果に基づいた画像処理パラメータに固定して画像処理を行う。さらにＣＰＵ３１は、該指示後のスルー画像の表示中も、撮像素子１２からの出力に基づいてシーン判定処理を継続して行い、操作部材３３を介して静止画像または動画像の記録指示があると、該静止画像または動画像に対して直近のシーン判定結果に基づく画像処理パラメータを用いて画像処理を行う。
【００８６】
このように変形例５のＣＰＵ３１は、表示装置２８から逐次出力されるスルー画像に対して、所定のタイミング（たとえば、操作部材３３を介した所定の指示の直前や、スルー画像の表示開始時など）におけるシーン判定結果に基づいた画像処理パラメータを用いて画像処理を行う。一方、変形例５のＣＰＵ３１は、スルー画像の表示中に操作部材３３を介した記録指示に応じて記録される静止画像または動画像に対しては、直近のシーン判定結果に基づいた画像処理パラメータを用いて画像処理を行う。変形例５によれば、スルー画像を構成する各フレーム間で画質が急に変化して観察者に違和感を与えるのを防止することができると共に、スルー画像表示中に記録する静止画像または動画像には、撮影シーンに適した画像処理を行うことができる。
【００８７】
以上の説明はあくまで一例であり、上記の実施形態の構成に何ら限定されるものではない。また、上記実施形態に各変形例の構成を適宜組み合わせてもかまわない。
【符号の説明】
【００８８】
１…デジタルカメラ
１１…撮影レンズ
１２…絞り
２１…撮像素子
２３…露出制御部
２４…画像処理回路
２５…画像メモリ
２８…表示装置
２９…記録媒体
３１…ＣＰＵ
３３…操作部材
【図１】
2013016907.tif 000003
【図２】
2013016907.tif 000004
【図３】
2013016907.tif 000005